(57)【要約】【課題】おむつ装着中の装着者の動きによって、装着者の肌とおむつとの間に隙間或いは皺が生じ難く、装着性が更に向上する展開型の使い捨ておむつを提供すること。【解決手段】本発明の使い捨ておむつ１Ａは、肌対向シート２、裏面シート３及び吸収体４を具備する吸収性本体５と、ファスニングテープ６１を具備し背側部Ｂの両側部５ｓから延出する一対のパネル材６ｂとを有する。吸収性本体５は、一対のパネル材６ｂの間に、吸収体４の端部４ｅからＹ方向外方に延出するフラップ領域５２ｂを有する。フラップ領域５２ｂには、エンボス９をＹ方向に複数配してなるエンボス列９Ｌが、Ｘ方向に間隔を空けて配されている。複数本配列されたエンボス列９Ｌの内の１本のエンボス列９Ｌ１は、パネル材６ｂにおけるファスニングテープ６１が取り付けられた側の側縁６ｂｓのＹ方向外方先端６ｂｓ１の位置を越えて吸収体４側まで延在している。【選択図】図４
2014090902.tif 000002
【特許請求の範囲】
【請求項１】
装着時に装着者の肌側に配される肌対向シート、装着者の肌側とは反対側に配される液難透過性の裏面シート、及びこれらシート間に配された吸収体を具備する縦長の吸収性本体と、ファスニングテープを具備し前記吸収性本体における装着者の背側に位置する背側部の両側部から外方に延出するパネル材とを有する展開型の使い捨ておむつであって、
前記吸収性本体は、それぞれの前記パネル材の間に、前記吸収体の縦方向の端部から縦方向外方に延出するフラップ領域を有しており、
前記フラップ領域には、前記肌対向シート及び前記裏面シートを融着して形成されるエンボスを縦方向に間隔を空けて複数配してなるエンボス列が配列され、該エンボス列は幅方向に間隔を空けて複数本配列されており、
複数本配列された前記エンボス列の内の少なくとも１本の前記エンボス列は、前記パネル材における前記ファスニングテープが取り付けられた側の側縁の縦方向外方先端から幅方向に引いた第１仮想線の位置を越えて前記吸収体側に延在している展開型の使い捨ておむつ。
【請求項２】
複数本配列された前記エンボス列の内の少なくとも１本の前記エンボス列は、前記ファスニングテープにおける縦方向外方端縁から幅方向に引いた第２仮想線の位置を越えて前記吸収体側に延在している請求項１に記載の展開型の使い捨ておむつ。
【請求項３】
複数本配列された前記エンボス列は、前記吸収体の縦方向に沿う両側部近傍から縦方向に前記フラップ領域に引いた第３仮想線の位置から幅方向外方の領域にそれぞれ配列された側部エンボス群と、前記第３仮想線の間の領域にある中央エンボス群とに区分され、
ファスニングテープにおける縦方向外方端縁から幅方向に引いた第２仮想線の位置を越えて前記吸収体側に延在している前記エンボス列は、少なくとも前記側部エンボス群それぞれに配されている請求項１又は２に記載の展開型の使い捨ておむつ。
【請求項４】
前記側部エンボス群それぞれには、前記第１又は第２仮想線の位置を超えて前記吸収体側に延在する前記エンボス列が複数本配されており、該複数本のエンボス列は、その長さが、幅方向外方に向かって漸次縦に長くなっている請求項３に記載の展開型の使い捨ておむつ。
【請求項５】
複数本配列された前記エンボス列は、前記吸収体の縦方向に沿う両側部近傍から縦方向に向けて前記フラップ領域に引いた第３仮想線の位置から幅方向外方の領域にそれぞれ配列された側部エンボス群と、前記第３仮想線の間の領域にある中央エンボス群とに区分され、
前記第１仮想線又はファスニングテープにおける縦方向外方端縁から幅方向に引いた第２仮想線の位置を越えて前記吸収体側に延在している前記エンボス列は、前記中央エンボス群に配されている請求項１〜４の何れか１項に記載の展開型の使い捨ておむつ。
【請求項６】
前記中央エンボス群には、前記第１仮想線の位置を越えて前記吸収体側に延在している前記エンボス列が複数本配されており、該複数本のエンボス列は、その長さが、幅方向内方に向かって漸次縦に長くなっている請求項５に記載の展開型の使い捨ておむつ。
【請求項７】
複数本配列された前記エンボス列は、前記吸収体の縦方向に沿う両側部近傍から縦方向に向けて前記フラップ領域に引いた第３仮想線の位置から幅方向外方の領域にそれぞれ配列された側部エンボス群と、前記第３仮想線の間の領域にある中央エンボス群とに区分され、
ファスニングテープにおける縦方向外方端縁から幅方向に引いた前記第２仮想線の位置を越えて前記吸収体側に延在している前記エンボス列は、前記一対の側部エンボス群それぞれと前記中央エンボス群とに配されている請求項１又は２に記載の展開型の使い捨ておむつ。
【請求項８】
前記側部エンボス群それぞれには、前記第１仮想線の位置を越えて前記吸収体側に延在する前記エンボス列が複数本配されており、該複数本のエンボス列は、その長さが、幅方向外方に向かって漸次縦に長くなっており、
前記中央エンボス群には、前記第１仮想線の位置を越えて前記吸収体側に延在する前記エンボス列が複数本配されており、該複数本のエンボス列は、その長さが、幅方向内方に向かって漸次縦に長くなっている請求項７に記載の展開型の使い捨ておむつ。
【請求項９】
複数本配列された前記エンボス列は、前記吸収体の縦方向に沿う両側部近傍から縦方向に向けて前記フラップ領域に引いた第３仮想線の位置から幅方向外方の領域にそれぞれ配列された側部エンボス群と、前記第３仮想線の間の領域にある中央エンボス群とに区分され、
前記側部エンボス群それぞれと前記中央エンボス群との間の間隔は、該側部エンボス群を構成する前記エンボス列どうしの間の間隔よりも広く、該中央エンボス群を構成する前記エンボス列どうしの間の間隔よりも広い請求項１〜８の何れか１項に記載の展開型の使い捨ておむつ。
【請求項１０】
前記エンボスは、前記肌対向シート側から前記裏面シート側に向かって凹状になっている請求項１〜９の何れか１項に記載の展開型の使い捨ておむつ。
【発明の詳細な説明】
【技術分野】
【０００１】
本発明は、展開型の使い捨ておむつに関する。
【背景技術】
【０００２】
一般的に、展開型の使い捨ておむつは、おむつ装着中の装着者の動きによって、装着者の肌とおむつとの間に隙間が生じてしまい、装着性が低下することが知られている。
【０００３】
例えば、特許文献１には、装着性を改善する観点から、装着者の背側に位置する背側部の両側部に、弾性的に伸長自在の弾性側パネルを備えた展開型の使い捨ておむつが記載されている。また、特許文献１に記載の展開型の使い捨ておむつは、装着者の腹側に位置する腹側部に、エンボス列を複数本設けることについて記載されている。
【０００４】
これとは別の技術として、例えば、特許文献２には、ウエストバンドにおける着用者に接する側の面に、凹部又は凸部が複数個配されている吸収性物品が記載されている。
【先行技術文献】
【特許文献】
【０００５】
【特許文献１】特開２００２−３２０６４０号公報
【特許文献２】特開２０１０−８２１３９号公報
【発明の概要】
【発明が解決しようとする課題】
【０００６】
しかし、特許文献１に記載の展開型の使い捨ておむつは、おむつ装着中に、最も隙間や皺が生じ易い背側部に、エンボス列を複数本設けることについて何ら記載されていない。また、上述したように、特許文献１に記載の展開型の使い捨ておむつは、腹側部にエンボス列を複数本設けているが、エンボス列の長さや配置等に関する詳しい内容について、特許文献１には何ら記載されていない。
【０００７】
また、特許文献２に記載の凹部又は凸部は、装着者の肌と、ウエストバンドの接触面積を少なくして、あせもなどのスキントラブルを防止するためのものであり、装着性を向上させるためのものではない。また、特許文献２には、凹部又は凸部からなる列の長さや配置等に関する詳しい内容について、何ら記載されていない。
【０００８】
従って、本発明は、おむつ装着中の装着者の動きによって、装着者の背側部の肌とおむつとの間に隙間或いは皺が生じ難く、装着性が更に向上する展開型の使い捨ておむつに関するものである。
【課題を解決するための手段】
【０００９】
本発明は、装着時に装着者の肌側に配される肌対向シート、装着者の肌側とは反対側に配される液難透過性の裏面シート、及びこれらシート間に配された吸収体を具備する縦長の吸収性本体と、ファスニングテープを具備し前記吸収性本体における装着者の背側に位置する背側部の両側部から外方に延出するパネル材とを有する展開型の使い捨ておむつであって、前記吸収性本体は、それぞれの前記パネル材の間に、前記吸収体の縦方向の端部から縦方向外方に延出するフラップ領域を有しており、前記フラップ領域には、前記肌対向シート及び前記裏面シートを融着して形成されるエンボスを縦方向に間隔を空けて複数配してなるエンボス列が配列され、該エンボス列は幅方向に間隔を空けて複数本配列されており、複数本配列された前記エンボス列の内の少なくとも１本の前記エンボス列は、前記パネル材における前記ファスニングテープが取り付けられた側の側縁の縦方向外方先端から幅方向に引いた第１仮想線の位置を越えて前記吸収体側に延在している展開型の使い捨ておむつを提供するものである。
【発明の効果】
【００１０】
本発明の展開型の使い捨ておむつによれば、おむつ装着中の装着者の動きによって、装着者の肌とおむつとの間に隙間或いは皺が生じ難く、装着性が更に向上する。
【図面の簡単な説明】
【００１１】
【図１】図１は、本発明の第１実施形態である展開型の使い捨ておむつを伸長させて拡げた状態を裏面シート側から視た一部破断平面図である。
【図２】図２は、図１に示す使い捨ておむつを装着した際のＩ−Ｉ線断面図である。
【図３】図３は、図１に示す使い捨ておむつのＩＩ−ＩＩ線断面図である。
【図４】図４は、図１に示す使い捨ておむつにおける背側部のフラップ領域の要部拡大平面図である。
【図５】図５は、本発明の第２実施形態である展開型の使い捨ておむつにおける背側部のフラップ領域の要部拡大平面図である。（図４相当図）。
【図６】図６は、本発明の第３実施形態である展開型の使い捨ておむつにおける背側部のフラップ領域の要部拡大平面図である。（図４相当図）。
【図７】図７は、本発明の第４実施形態である展開型の使い捨ておむつにおける背側部のフラップ領域の要部拡大平面図である。（図４相当図）。
【図８】図８は、本発明の第５実施形態である展開型の使い捨ておむつにおける背側部のフラップ領域の要部拡大平面図である。（図４相当図）。
【発明を実施するための形態】
【００１２】
以下、本発明の吸収性物品を、その好ましい第１実施形態に基づき、図１〜図４を参照しながら説明する。
第１実施形態の使い捨ておむつ１Ａ（以下、「おむつ１Ａ」ともいう。）は、図１〜図３に示すように、装着時に装着者の肌側に配される肌対向シート２、装着者の肌側とは反対側に配される液難透過性の裏面シート３、及びこれらシート間に配された吸収体４を具備する縦長の吸収性本体５を有する。吸収性本体５は、装着者の腹側に位置する腹側部Ａ、背側に位置する背側部Ｂ及び腹側部Ａと背側部Ｂとの間に配される股下部Ｃに区分される。本発明では該吸収性本体５の腹側部Ａから股下部Ｃ、背側部Ｂにいたる長手方向を縦方向と言い、該吸収性本体５の短手方向を幅方向と言う。本実施形態ではおむつ１Ａ及び吸収体４も縦長であり、それらの縦方向及び幅方向は吸収性本体５と同じ向きである。
おむつ１Ａは、吸収性本体５における背側部Ｂの両側部５ｓ，５ｓから外方に延出する一対のパネル材６ｂ，６ｂを有する、所謂、展開型の使い捨ておむつである。おむつ１Ａは、図１に示すように、おむつ１Ａの縦方向に延びる中心線ＣＬに対して左右対称に形成されている。尚、各図に示す「Ｙ方向」は、中心線ＣＬに平行な方向であり、おむつの縦方向と同じ方向でもある。また各図に示す「Ｘ方向」は、中心線ＣＬに直交する方向であり、おむつの幅方向と同じ方向でもある。
また、本明細書において、「肌対向面」とは、吸収性本体５などの各部材の表裏両面のうち、装着時に装着者の肌側に配される面であり、「非肌対向面」とは、吸収性本体５などの各部材の表裏両面のうち、装着時に装着者の肌側とは反対側に向けられる面である。
【００１３】
おむつ１Ａの肌対向シート２は、図１〜図３に示すように、液透過性の表面シート２１と、表面シート２１の縦方向（Ｙ方向）に沿う両側部２１ｓ、２１ｓそれぞれの肌対向面側に配される一対のサイドシート２２，２２とを有している。以下、おむつ１Ａの吸収性本体５について詳述する。吸収性本体５は、図１に示すように、展開して伸長した状態において縦方向（Ｙ方向）に長い矩形状であり、展開して伸長した状態において、腹側部Ａ、背側部Ｂ及び股下部Ｃは、吸収性本体５の縦方向（Ｙ方向）の全長を略３等分するように区分したときの各領域である。吸収性本体５は、図２に示すように、おむつ１Ａの内面をなす表面シート２１と、おむつ１Ａの外面をなす裏面シート３と、これらのシート２１，３間に介在された縦方向（Ｙ方向）に長い液保持性の吸収体４とを有している。裏面シート３は、おむつ１Ａにおいては、図２，図３に示すように、樹脂フィルム３１と不織布３２との積層体からなり、樹脂フィルム３１の非肌対向面に不織布３２を配して形成されている。吸収体４は、おむつ１Ａにおいては、図２に示すように、パルプ繊維等の繊維の集合体（不織布であっても良い）又はこれに吸水性ポリマーの粒子を保持させてなる吸収性コア４２を、透水性の薄紙や不織布からなるコアラップシート４１で被覆して形成されている。吸収性コア４２、おむつ１Ａにおいては、縦方向（Ｙ方向）に長く形成されており、股下部Ｃにおいて、両側部が内側に括れた形状となっている。
【００１４】
吸収性本体５は、図１〜図３に示すように、腹側部Ａから背側部Ｂに亘って、吸収体４の縦方向（Ｙ方向）に沿う両側部４ｓ，４ｓそれぞれから幅方向（Ｘ方向）外方側に延出する一対のサイドフラップ領域５１を有している。以下、サイドフラップ領域５１の構成について詳述する。おむつ１Ａにおいて、表面シート２１及び裏面シート３は、それぞれ、図１〜図３に示すように、吸収体４の肌対向面側の全面及び非肌対向面側の全面を覆っており、吸収体４の周縁から延出している。吸収体４の周縁から延出している表面シート２１の部分と裏面シート３の部分とは、固定されている。また、表面シート２１は、図２，図３に示すように、幅方向（Ｘ方向）の長さが裏面シート３の幅方向（Ｘ方向）の長さよりも短くなっている。尚、図１に示すように、表面シート２１の縦方向（Ｙ方向）の長さと、裏面シート３の縦方向（Ｙ方向）の長さとは一致している。
【００１５】
おむつ１Ａの吸収性本体５には、図１〜図３に示すように、縦方向（Ｙ方向）に沿う両側部５ｓ，５ｓそれぞれに、表面シート２１を介してサイドシート２２が配されている。サイドシート２２の縦方向（Ｙ方向）の長さは、図１に示すように、表面シート２１及び裏面シート３の縦方向（Ｙ方向）の長さと一致している。一対のサイドシート２２は、それぞれ、図２，図３に示すように、表面シート２１の肌対向面側に配されて、表面シート２１の縦方向（Ｙ方向）に沿う側部２１ｓ全域を覆っており、縦方向（Ｙ方向）に直線状に延びる固定部７を介して表面シート２１の側縁部２１ｓ１に固定されている。ここで、表面シート２１の側縁部２１ｓ１とは、表面シート２１の側部２１ｓにおける幅方向（Ｘ方向）外方の縁部に位置する部分を意味する。腹側部Ａ、背側部Ｂ及び股下部Ｃにおいては、図２，図３に示すように、幅方向（Ｘ方向）の外方に延出したサイドシート２２と裏面シート３とが接合されている。このように、吸収性本体５の腹側部Ａ、背側部Ｂ及び股下部Ｃには、吸収体４の縦方向（Ｙ方向）に沿う側部４ｓから幅方向（Ｘ方向）外方側に延出する部分において、図２に示すように、表面シート２１の吸収体４の側部４ｓから延出している部分と裏面シート３の吸収体４の側部４ｓから延出している部分とが固定され、固定部７よりも幅方向（Ｘ方向）外方側に延出するサイドシート２２の延出している部分と裏面シート３の固定部７よりも幅方向（Ｘ方向）外方側に延出する部分とが固定されて、サイドフラップ領域５１が形成されている。
【００１６】
サイドフラップ領域５１を形成する各サイドシート２２は、図２に示すように、幅方向（Ｘ方向）の内方側（中心線ＣＬ寄り）の端部が非肌対向面側に折り返されて二重部分２２０を形成している。股下部Ｃにおける二重部分２２０内に立体ギャザー形成用の弾性部材５３が縦方向（Ｙ方向）に伸長状態で配設固定されており、装着時には、その弾性部材５３の収縮力により、固定部７を起点にサイドシート２２の内方側（中心線ＣＬ寄り）の端部が立ち上がるようになっている。具体的には、各サイドシート２２の幅方向（Ｘ方向）の内方側（中心線ＣＬ寄り）の端部である二重部分２２０は、図２に示すように、自由端となっており、二重部分２２０内に立体ギャザー形成用の弾性部材５３が縦方向（Ｙ方向）に伸長状態で配設固定されており、装着時には、その弾性部材５３の収縮力により、自由端から固定部７までの間の部分が、固定部７を起点に表面シート２１から離間して所謂立体ギャザーを形成するようになっている。
【００１７】
また、サイドフラップ領域５１を形成する各サイドシート２２の幅方向（Ｘ方向）の外方側の端部から固定部７までの間の部分は、上述したように、図２に示すように、裏面シート３と固定されており、各サイドシート２２の外方側の端部から固定部７までの間の部分と裏面シート３との間には、股下部Ｃにおいて、レッグギャザー形成用の弾性部材５４が縦方向（Ｙ方向）に伸長状態で配設固定されており、装着時には、その弾性部材の収縮力により、所謂レッグギャザーを形成するようになっている。
【００１８】
上述したように、おむつ１Ａは、図１に示すように、吸収性本体５の背側部Ｂの左右両外方に連設された左右一対のパネル材６ｂ，６ｂを有している。パネル材６ｂは、おむつ１Ａにおいては、伸縮パネルである。各パネル材６ｂは、おむつ１Ａにおいては、幅方向（Ｘ方向）外方側に向かって台形形状に延出するように形成されており、中心線ＣＬ寄りの側縁部の縦方向（Ｙ方向）の長さが、幅方向（Ｘ方向）外方側の側縁部の縦方向（Ｙ方向）の長さよりも長くなっている。パネル材６ｂは、背側部Ｂにおいて、その中心線ＣＬ寄りの側縁部が、裏面シート３の不織布３２の非肌対向面に固定されており、吸収性本体５の背側部Ｂの左右両外方に連設されている。尚、おむつ１Ａにおいては、一対のパネル材６ｂ，６ｂは、裏面シート３の不織布３２の非肌対向面に固定されているが、表面シート２１を介して配されたサイドシート２２と裏面シート３の樹脂フィルム３１との間で固定されていてもよい。
【００１９】
各パネル材６ｂ，６ｂには、機械的面ファスナーのオス部材からなる止着部が取り付けられたファスニングテープ６１が幅方向（Ｘ方向）外方に延出して取り付けられている。ファスニングテープ６１は、おむつ１Ａにおいては、幅方向（Ｘ方向）に長い矩形状となっている。ファスニングテープ６１は、おむつ１Ａにおいては、パネル材６ｂの幅方向（Ｘ方向）外方の側縁６ｂｓと９０°で交差するように、パネル材６ｂに、接着剤や融着等の手段を用いて固定されている。
【００２０】
また、おむつ１Ａの一対のパネル材６ａ，６ａは、腹側部Ａにおいて、図１に示すように、その中心線ＣＬ寄りの端部が、表面シート２１を介して配されたサイドシート２２と裏面シート３の樹脂フィルム３１との間で固定されており、吸収性本体５の腹側部Ａの左右両外方に連設されている。尚、おむつ１Ａにおいては、一対のパネル材６ａ，６ａは、サイドシート２２と裏面シート３の樹脂フィルム３１との間で固定されているが、裏面シート３の不織布３２の非肌対向面に固定されていてもよい。裏面シート３の不織布３２の非肌対向面においては、左右一対のパネル材６ａ，６ａの間に、腹側部Ａの外面に幅方向（Ｘ方向）に長い矩形状のターゲットテープ６２が設けられている。装着時には、各伸縮パネル６ｂに取り付けられたファスニングテープ６１とターゲットテープ６２とが止着可能となっている。パネル材６ａは、接着剤や融着等の公知の手段を用いて固定されている。
【００２１】
おむつ１Ａの吸収性本体５は、図１に示すように、それぞれのパネル材６ｂ，６ｂの間に、吸収体４の縦方向（Ｙ方向）の端部４ｅから縦方向（Ｙ方向）外方に延出するフラップ領域５２ｂを有している。同様に、それぞれのパネル材６ａ，６ａの間にも、図１に示すように、吸収体４の縦方向（Ｙ方向）の端部４ｅから縦方向（Ｙ方向）外方に延出するフラップ領域５２ａを有している。具体的には、吸収性本体５の腹側部Ａ及び背側部Ｂには、吸収体４の縦方向（Ｙ方向）の両端部４ｅ，４ｅそれぞれから縦方向（Ｙ方向）外方に延出する部分において、図３に示すように、表面シート２１の吸収体４の端部４ｅから延出している部分と裏面シート３の吸収体４の端部４ｅから延出している部分とが固定され、更に、二重部分２２０を有するサイドシート２２の吸収体４の端部４ｅから延出している部分と、表面シート２１及び裏面シート３それぞれの吸収体４の端部４ｅから延出している部分とが固定されて、フラップ領域５２ａ，５２ｂが形成されている。
【００２２】
おむつ１Ａにおける、表面シート２１と裏面シート３との固定、及びサイドシート２２と裏面シート３との固定について、以下詳述する。おむつ１Ａにおいては、図２に示すように、サイドフラップ領域５１は、肌対向シート２である表面シート２１の吸収体４の縦方向（Ｙ方向）に沿う側部４ｓから延出している部分と裏面シート３の吸収体４の側部４ｓから延出している部分とが接着剤８により接合固定されている。また、肌対向シート２であるサイドシート２２の固定部７よりも幅方向（Ｘ方向）外方側に延出している部分と裏面シート３の固定部７よりも幅方向（Ｘ方向）外方側に延出している部分とが接着剤８により接合固定されて形成されている。尚、おむつ１Ａの吸収性本体５においては、図２に示すように、吸収体４と裏面シート３とも、接着剤８により接合固定されている。また、おむつ１Ａにおいては、図３に示すように、フラップ領域５２ａ，５２ｂは、肌対向シート２である表面シート２１の吸収体４の縦方向（Ｙ方向）の端部４ｅから延出している部分と裏面シート３の吸収体４の端部４ｅから延出している部分とが接着剤８により接合固定されている。また、肌対向シート２であるサイドシート２２の縦方向（Ｙ方向）の端部４ｅから延出している部分と、表面シート２１及び裏面シート３それぞれの吸収体４の端部４ｅから延出している部分とが接着剤８により接合固定されて形成されている。尚、フラップ領域５２ａ，５２ｂにおいては、図３に示すように、サイドシート２２の二重部分２２０は、折り重なった状態で固定されている。
【００２３】
背側部Ｂのフラップ領域５２ｂには、肌対向シート２及び裏面シート３を融着して形成されるエンボス９を縦方向（Ｙ方向）に間隔を空けて複数配してなるエンボス列９Ｌが配列され、エンボス列９Ｌは幅方向（Ｘ方向）に間隔を空けて複数本配列されている。具体的には、背側部Ｂにおける一対のパネル材６ｂ，６ｂの間のフラップ領域５２ｂを形成する、肌対向シート２である表面シート２１及びサイドシート２２それぞれの吸収体４の縦方向（Ｙ方向）の端部４ｅから延出している部分と、裏面シート３の吸収体４の縦方向（Ｙ方向）の端部４ｅから延出している部分とが、エンボス９によって、融着固定されている。エンボス９とは、通常、使い捨ておむつ等の吸収性物品に用いられる熱、超音波、高周波等の融着手段により形成されるエンボスを意味する。
【００２４】
複数本配列されたエンボス列９Ｌの内の少なくとも１本のエンボス列９Ｌ１は、図４に示すように、パネル材６ｂにおけるファスニングテープ６１が取り付けられた側の側縁６ｂｓの縦方向（Ｙ方向）外方先端６ｂｓ１から幅方向（Ｘ方向）に引いた第１仮想線ＩＬ１の位置を越えて吸収体４側に延在している。具体的には、おむつ１Ａにおいては、６本のエンボス列９Ｌ１が、図４に示すように、パネル材６ｂの側縁６ｂｓにおける縦方向（Ｙ方向）外方先端６ｂｓ１の位置（第１仮想線ＩＬ１の位置）を越えて、縦方向（Ｙ方向）に吸収体４側まで延在している。おむつ装着時におむつ背側部Ｂの両側部に取り付けられたパネル材６ｂ，６ｂを伸張させながら腹側部Ａに装着すると、パネル材６ｂ，６ｂの幅方向延長にあるおむつ背側部Ｂが引っ張られて、該背側部Ｂの領域に幅方向に延びる皺や隙間ができやすく、特にファスニングテープ６１から幅方向に延長したおむつ背側部Ｂ領域に皺や隙間が生じ易く、本発明では、前記第１仮想線ＩＬ１、より好ましくは以下に述べるファスニングテープ６２の第２仮想線ＩＬ２を基準にエンボス列９Ｌの縦長さを配置することで皺やたるみが生じにくいことを見出した。尚、おむつ１Ａにおいては、図４に示すように、前記少なくとも１本のエンボス列９Ｌ１（具体的には６本）が、パネル材６ｂの縦方向（Ｙ方向）外方先端６ｂｓ１の位置（第１仮想線ＩＬ１の位置）を越えるのみならず、ファスニングテープ６１における縦方向（Ｙ方向）外方端縁６１ｅから幅方向（Ｘ方向）に引いた第２仮想線ＩＬ２の位置を越えて、吸収体４側に延在し、吸収体４側まで延在している。ここで、パネル材６ｂの縦方向（Ｙ方向）外方先端６ｂｓ１の位置とは、パネル材６ｂの側縁６ｂｓにおいて、最も縦方向（Ｙ方向）の外方の先端に位置する部位を言い、パネル材６ｂの側縁６ｂｓとパネル材６ｂの縦方向（Ｙ方向）の外方の端縁とが交差する部位でもある。また、ファスニングテープ６１における縦方向（Ｙ方向）外方端縁６１ｅの位置とは、例えば、おむつ１Ａのようにパネル材６ｂの側縁６ｂｓと９０度にファスニングテープ６１が取り付けられている場合には、矩形状のファスニングテープ６１の縦方向（Ｙ方向）外方端縁６１ｅ全体を意味するが、９０度に取り付けられていない場合には、パネル材６ｂの側縁６ｂｓでの取り付け位置における縦方向（Ｙ方向）外方先端の位置を意味する。また、吸収体４側まで延在しているとは、最大、吸収体４の縦方向（Ｙ方向）の端部４ｅに至るまでであり、吸収体４に重なる位置にまでは至らないことを意味する。また、第１仮想線ＩＬ１とは、言い換えれば、一対のパネル材６ｂ，６ｂの縦方向（Ｙ方向）外方先端６ｂｓ１，６ｂｓ１どうしを結ぶ線を意味し、第２仮想線ＩＬ２とは、言い換えれば、一対のファスニングテープ６１，６１の縦方向（Ｙ方向）外方端縁６１ｅ，６１ｅどうしを結ぶ線を意味する。
【００２５】
複数本配列されたエンボス列９Ｌは、おむつ１Ａにおいては、図３，図４に示すように、吸収体４の縦方向（Ｙ方向）に沿う両側部４ｓ近傍から縦方向（Ｙ方向）にフラップ領域５２ｂに引いた第３仮想線ＩＬ３の位置から幅方向（Ｘ方向）外方の領域にそれぞれ配された側部エンボス群９０ｓ，９０ｓと、第３仮想線ＩＬ３，ＩＬ３の間の領域にある中央エンボス群９０ｃとに区分できる。ここで、吸収体４の側部４ｓ近傍とは、吸収体４の側部４ｓにおける幅方向（Ｘ方向）最外方側縁から内方側にある程度の幅を持った部分を意味する。また、おむつ１Ａのように、肌対向シート２がサイドシート２２を有する場合には、吸収体４の側部４ｓ近傍の位置とは、サイドシート２２の幅方向（Ｘ方向）の内方側（中心線ＣＬ寄り）の端部の先端の位置（二重部分２２０の中心線ＣＬ寄りの先端の位置）を意味する。
【００２６】
吸収体４側まで縦方向（Ｙ方向）に延在するエンボス列９Ｌ１は、おむつ１Ａにおいては、図４に示すように、一対の側部エンボス群９０ｓ，９０ｓそれぞれに配されている。具体的には、おむつ１Ａにおいては、図４に示すように、各側部エンボス群９０ｓを形成する３本のエンボス列９Ｌは、その全てが、均等な長さで吸収体４側まで縦方向（Ｙ方向）に延在する、長いエンボス列９Ｌ１となっている。
【００２７】
また、おむつ１Ａにおいては、図４に示すように、一対の側部エンボス群９０ｓ，９０ｓそれぞれと中央エンボス群９０ｃとの間の間隔Ｗ１は、側部エンボス群９０ｓを構成するエンボス列９Ｌどうしの間の間隔Ｗ２よりも広く、中央エンボス群９０ｃを構成するエンボス列９Ｌどうしの間の間隔Ｗ３よりも広くなっている。このように配されていることによって、おむつ１Ａの装着時に、最も広い間隔Ｗ１に幅方向（Ｘ方向）に引っ張られる力が分散し易いので、背側部Ｂのおむつ１Ａと装着者との間の隙間や、おむつ１Ａのズレ落ちを少なくすることができる。
【００２８】
具体的には、側部エンボス群９０ｓと中央エンボス群９０ｃとの間の間隔Ｗ１は、１０ｍｍ以上３０ｍｍ以下であることが好ましく、１５ｍｍ以上２５ｍｍ以下であることが更に好ましい。
側部エンボス群９０ｓを構成するエンボス列９Ｌどうしの間の間隔Ｗ２は、５ｍｍ以上２０ｍｍ以下であることが好ましく、７ｍｍ以上１５ｍｍ以下であることが更に好ましい。
中央エンボス群９０ｃを構成するエンボス列９Ｌどうしの間の間隔Ｗ３は、２ｍｍ以上１５ｍｍ以下であることが好ましく、５ｍｍ以上１０ｍｍ以下であることが更に好ましい。
【００２９】
エンボス列９Ｌを形成するエンボス９は、おむつ１Ａの厚み方向においては、図３に示すように、肌対向シート２側から裏面シート３側に向かって凹状になっている。具体的には、図３に示すように、一対の側部エンボス群９０ｓ，９０ｓを構成する複数のエンボス列９Ｌそれぞれを形成する複数のエンボス９は、それぞれ、肌対向シート２のサイドシート２２側から、該サイドシート２２及び肌対向シート２の表面シート２１を貫通し、裏面シート３の非肌対向面側の不織布３２にいたる凹状の形状となっている。また、中央エンボス群９０ｃを構成する複数のエンボス列９Ｌそれぞれを形成する複数のエンボス９は、それぞれ、肌対向シート２の表面シート２側から、該表面シート２１を貫通し、裏面シート３の非肌対向面側の不織布３２にいたる凹状の形状となっている。このように、エンボス９が肌対向シート２側から裏面シート３側に向かって凹状になっていると、仮に凹状の形状の底部が貫通したとしても、貫通した部分が装着者の肌に当たることが無く、装着感が向上する。
【００３０】
背側部Ｂにおける一対のパネル材６ｂ，６ｂの間のフラップ領域５２ｂには、エンボス列９Ｌが、幅方向（Ｘ方向）に間隔を空けて、おむつのフィット性向上の観点から、１２本以上２０本以下配されていることが好ましく、１４本以上１６本以下配されていることが更に好ましく、おむつ１Ａにおいては、１３本配されている。
【００３１】
フラップ領域５２ｂに設けられるエンボス列９Ｌ（長いエンボス列９Ｌ１を除く）は、エンボス９を縦方向（Ｙ方向）に間隔を空けて、おむつの捲れやズレ落ち防止の観点から、平均４個以上２０個以下配して形成されていることが好ましく、平均６個以上１６個以下配して形成されていることが更に好ましい。縦方向（Ｙ方向）に隣り合うエンボス９どうしの間隔は、０．２ｍｍ以上２．０ｍｍ以下であることが好ましく、０．５ｍｍ以上１．５ｍｍ以下であることが更に好ましい。エンボス列９Ｌ（長いエンボス列９Ｌ１を除く）は、その全長Ｔ３が、１０ｍｍ以上３０ｍｍ以下であることが好ましく、１２ｍｍ以上２５ｍｍ以下であることが更に好ましい。吸収体４の端部４ｅから縦方向（Ｙ方向）外方の領域の長さＴ２に対するエンボス列９Ｌ（長いエンボス列９Ｌ１を除く）の全長Ｔ３の比率（Ｔ３／Ｔ２）は、０．０５以上１以下であることが好ましく、０．１以上０．６以下であることが更に好ましい。
【００３２】
また、フラップ領域５２ｂに設けられる複数本のエンボス列９Ｌの中の長いエンボス列９Ｌ１は、エンボス９を縦方向（Ｙ方向）に間隔を空けて、おむつの捲れやズレ落ち防止の観点から、平均１０個以上３０個以下配して形成されていることが好ましく、平均７個以上２５個以下配して形成されていることが更に好ましい。縦方向（Ｙ方向）に隣り合うエンボス９どうしの間隔は、０．２ｍｍ以上２．５ｍｍ以下であることが好ましく、０．５ｍｍ以上１．５ｍｍ以下であることが更に好ましい。長いエンボス列９Ｌ１は、その全長Ｔ１が、１０ｍｍ以上７０ｍｍ以下であることが好ましく、１５ｍｍ以上６０ｍｍ以下であることが更に好ましい。吸収体４の端部４ｅから縦方向（Ｙ方向）外方の領域の長さＴ２に対するエンボス列９Ｌ１の全長Ｔ１の比率（Ｔ１／Ｔ２）は、０．１以上１以下であることが好ましく、０．２以上０．９以下であることが更に好ましい。
【００３３】
おむつ１Ａのように、一対の側部エンボス群９０ｓ，９０ｓと、中央エンボス群９０ｃとを有する場合には、各側部エンボス群９０ｓには、エンボス列９Ｌが、幅方向（Ｘ方向）に間隔を空けて、同様の観点から、２本以上１５本以下配されていることが好ましく、４本以上１０本以下配されていることが更に好ましく、おむつ１Ａにおいては、３本配されている。そして、中央エンボス群９０ｃには、エンボス列９Ｌが、幅方向（Ｘ方向）に間隔を空けて、同様の観点から、７本以上１８本以下配されていることが好ましく、１０本以上１５本以下配されていることが更に好ましく、おむつ１Ａにおいては、７本配されている。
【００３４】
おむつ１Ａのように、一対の側部エンボス群９０ｓ，９０ｓと、中央エンボス群９０ｃとを有する場合には、側部エンボス群９０ｓを構成するエンボス列９Ｌは、エンボス９を縦方向（Ｙ方向）に間隔を空けて、４個以上２０個以下配して形成されていることが好ましく、６個以上１６個以下配して形成されていることが更に好ましく、おむつ１Ａにおいては、１１個配して形成されている。その際、縦方向（Ｙ方向）に隣り合うエンボス９どうしの間隔は、０．２ｍｍ以上２．０ｍｍ以下であることが好ましく、０．５ｍｍ以上１．５ｍｍ以下であることが更に好ましい。尚、おむつ１Ａにおいては、上述したように、側部エンボス群９０ｓを構成するエンボス列９Ｌは、その全てが長いエンボス列９Ｌ１となっている。
【００３５】
また、中央エンボス群９０ｃを構成するエンボス列９Ｌは、エンボス９を縦方向（Ｙ方向）に間隔を空けて、４個本以上２０個以下配して形成されていることが好ましく、６個以上１６個以下配して形成されていることが更に好ましく、おむつ１Ａにおいては、８個配して形成されている。その際、縦方向（Ｙ方向）に隣り合うエンボス９どうしの間隔は、０．２ｍｍ以上２．０ｍｍ以下であることが好ましく、０．５ｍｍ以上１．５ｍｍ以下であることが更に好ましい。
【００３６】
各エンボス９は、裏面シート３側から平面視して、その平面形状に特に制限はなく、例えば、その平面形状として、図４に示すような楕円形、真円形状、多角形状等が挙げられ、更に、Ｓ，Ｍ等のような英数字、ハート型，三日月型，星型等の意匠性のある図形等が挙げられる。エンボス９の平面形状の面積は、０．２ｍｍ2以上３．５ｍｍ2以下であることが好ましく、０．５ｍｍ2以上２．０ｍｍ2以下であることが更に好ましい。
【００３７】
本実施形態のおむつ１Ａの形成材料について説明する。
肌対向シート２の表面シート２１、及び裏面シート３としては、それぞれ、通常、使い捨ておむつ等の吸収性物品に用いられるものであれば、特に制限なく用いることができる。例えば、表面シート２１としては、親水性且つ液透過性の不織布等を用いることができ、裏面シート３を構成する樹脂フィルム３１としては、液不透過性又は撥水性の樹脂フィルム、裏面シート３を構成する不織布３２としては、液不透過性又は撥水性の不織布等を用いることができる。立体ギャザーやレッグギャザーを形成する肌対向シート２のサイドシート２２としては、それぞれ、通常、使い捨ておむつ等の吸収性物品に用いられるものであれば、特に制限なく用いることができ、伸縮性のフィルム、不織布、織物またはそれらの積層シート等を用いることができる。立体ギャザー形成用の弾性部材５３、レッグギャザー形成用の弾性部材５４としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３８】
伸縮パネルであるパネル材６ｂとしては、例えば、（１）弾性繊維層の両面又は片面に伸長可能な繊維層が一体化されているシート、（２）ネット状の弾性シートの両面又は片面に伸長可能な繊維層が一体化されているシート、（３）弾性フィルムからなる弾性シートの両面又は片面に伸長可能な繊維層が一体化されているシートを用いることができる。
また、パネル材６ａとしては、通常、使い捨ておむつ等の吸収性物品に用いられるものであれば、特に制限なく用いることができる、例えば、液不透過性の不織布等を用いることができる。
【００３９】
ファスニングテープ７１のオス部材としては、通常、使い捨ておむつ等の吸収性物品に用いられるものであれば、特に制限なく用いることができる。例えば、オス部材としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。ターゲットテープ７２としては、オス部材の係合突起に係合可能な表面構造を有するループ材からなり、このようなループ材としては、オス部材を押しつけることにより、オス部材を止着可能なものを特に制限なく用いることができる。例えば、例えば上述した各種公知の機械的面ファスナーにおけるメス部材を用いることができる。また、腹側部Ａの外表面（裏面シート３を構成する不織布３２）を、オス部材の係合突起と直接係合可能な材料、例えば係合性に富む不織布から構成することもできる。
【００４０】
肌対向シート２の表面シート２１、裏面シート３、肌対向シート２のサイドシート２２、及びパネル材６ａ，６ｂの固定には、通常、使い捨ておむつ等の吸収性物品に用いられるホットメルト型接着剤やヒートエンボス、超音波エンボス、高周波エンボス等の融着手段が用いられる。
【００４１】
次に上述した本発明の第１実施形態の使い捨ておむつ１Ａを使用した際の作用効果について説明する。
おむつ１Ａは、図４に示すように、複数本配列されたエンボス列９Ｌの内の少なくとも１本のエンボス列９Ｌ１が、パネル材６ｂにおける側縁６ｂｓの縦方向（Ｙ方向）外方先端６ｂｓ１の位置（第１仮想線ＩＬ１の位置）を越えて吸収体４側に延在している。このように長いエンボス列９Ｌ１が背側部Ｂのフラップ領域５２ｂに配されると、配列された部分の剛性が高まるため、おむつ１Ａの装着中の装着者の動きによっても、装着者の背側の肌とおむつとの間に隙間或いは皺が生じ難くなり、装着性が向上する。特に、おむつ１Ａにおいては、このように長いエンボス列９Ｌ１が、パネル材６ｂの縦方向（Ｙ方向）外方先端６ｂｓ１（第１仮想線ＩＬ１の位置）の位置を越え、更にファスニングテープ６１における縦方向外方端縁６１ｅの位置（第２仮想線ＩＬ２の位置）を越えて吸収体４側まで延在しているので、背側部Ｂのフラップ領域５２ｂに、更に隙間或いは皺が生じ難くなり、装着性が更に向上する。また、特に、おむつ１Ａにおいては、１３本配列されたエンボス列９Ｌの内の６本のエンボス列９Ｌ１が、ファスニングテープ６１における縦方向外方端縁６１ｅの位置（第２仮想線ＩＬ２の位置）を越えて吸収体４側まで延在しているので、装着性が更に向上する。
【００４２】
また、おむつ１Ａは、図４に示すように、延在するエンボス列９Ｌ１が、一対の側部エンボス群９０ｓ，９０ｓそれぞれに配されている。その為、吸収体４が配されていないおむつ１Ａの両サイド部分、即ち、装着者の腰部の回り込みに対応する部位において剛性を高めることができ、腰回りを締める力を骨盤に伝え易く、おむつ１Ａのズレ落ちを防止することができる。特に、おむつ１Ａにおいては、各側部エンボス群９０ｓを構成する３本のエンボス列９Ｌが全て、延在するエンボス列９Ｌ１であるため、装着者の腰部の回り込みに対応する部位において剛性を更に高めることができ、おむつ１Ａのズレ落ちを更に防止することができる。
【００４３】
次に、本発明の第２〜第５実施形態の使い捨ておむつについて説明する。第２〜第５実施形態の使い捨ておむつ１Ｂ〜１Ｅは、複数本配列されたエンボス列９Ｌの内の長いエンボス列９Ｌ１の配置態様が第１実施形態のおむつ１Ａと異なる。第２〜第５実施形態のおむつ１Ｂ〜１Ｅについては、第１実施形態のおむつ１Ａと異なる点について主として説明し、同様の点については同一の符号を付して説明を省略する。特に言及しない点については、第１実施形態のおむつ１Ａに関する説明が適宜適用される。
【００４４】
おむつ１Ｂの一対の側部エンボス群９０ｓ，９０ｓそれぞれには、図５に示すように、吸収体４側まで延在するエンボス列９Ｌ１が複数本配されており、該複数本のエンボス列９Ｌ１は、その長さが、幅方向（Ｘ方向）外方に向かって漸次縦に長くなっている。具体的には、おむつ１Ｂは、おむつ１Ａと同様に、図５に示すように、背側部Ｂのフラップ領域５２ｂに配列された複数本のエンボス列９Ｌが、一対の側部エンボス群９０ｓ，９０ｓと、中央エンボス群９０ｃとに区分できる。各側部エンボス群９０ｓを形成する３本のエンボス列９Ｌは、第１仮想線ＩＬ１の位置又は第２仮想線ＩＬ２の位置を越えて吸収体４側に延在しており、縦方向（Ｙ方向）の長さが全て異なる長いエンボス列９Ｌ１となっている。長い３本のエンボス列９Ｌ１は、縦方向（Ｙ方向）の長さが、幅方向（Ｘ方向）外方に向かって漸次縦に長くなっており、最も幅方向（Ｘ方向）外方側に位置する長いエンボス列９Ｌ１のみが、パネル材６ｂの縦方向（Ｙ方向）外方先端６ｂｓ１の位置（第１仮想線ＩＬ１の位置）を越えるのみならず、ファスニングテープ６１における縦方向（Ｙ方向）外方端縁６１ｅの位置（第２仮想線ＩＬ２の位置）を越えて、吸収体４側まで縦方向（Ｙ方向）に延在している。
【００４５】
上述したおむつ１Ｂを使用した際の作用効果について説明する。
おむつ１Ｂの効果については、おむつ１Ａの効果と異なる点について説明する。特に説明しない点は、おむつ１Ａの効果と同様であり、おむつ１Ａの効果の説明が適宜適用される。
【００４６】
おむつ１Ｂの一対の側部エンボス群９０ｓ，９０ｓそれぞれには、図５に示すように、長いエンボス列９Ｌ１が３本配されており、３本のエンボス列９Ｌ１は、その長さが、幅方向（Ｘ方向）外方に向かって漸次縦に長くなっている。その為、装着者の腰部の回り込みに対応する部位において剛性を高めることができ、腰回りを締める力を骨盤に伝え易く、おむつ１Ａのズレ落ちを防止することができる。そして、側部エンボス群９０ｓに配列された長さの異なる長いエンボス列９Ｌ１が、おむつを装着する際の目安となり装着性が向上する。
【００４７】
おむつ１Ｃは、吸収体４側まで延在するエンボス列９Ｌ１が、中央エンボス群９０ｃに配されている。具体的には、おむつ１Ｃは、おむつ１Ａと同様に、図６に示すように、背側部Ｂのフラップ領域５２ｂに配列された複数本のエンボス列９Ｌが、一対の側部エンボス群９０ｓ，９０ｓと、中央エンボス群９０ｃとに区分できる。中央エンボス群９０ｃを形成する７本のエンボス列９Ｌは、第１仮想線ＩＬ１の位置又は第２仮想線ＩＬ２の位置を越えて吸収体４側に延在しており、おむつ１Ｃにおいては、その全てが、均等な長さで第２仮想線ＩＬ２の位置を越えて吸収体４側まで延在する、長いエンボス列９Ｌ１となっている。即ち、長い７本のエンボス列９Ｌ１は、その全てが、パネル材６ｂの縦方向（Ｙ方向）外方先端６ｂｓ１の位置（第１仮想線ＩＬ１の位置）を越えるのみならず、ファスニングテープ６１における縦方向（Ｙ方向）外方端縁６１ｅの位置（第２仮想線ＩＬ２の位置）を越えて、吸収体４側まで縦方向（Ｙ方向）に均等な長さで延在している。
【００４８】
上述したおむつ１Ｃを使用した際の作用効果について説明する。
おむつ１Ｃの効果については、おむつ１Ａの効果と異なる点について説明する。特に説明しない点は、おむつ１Ａの効果と同様であり、おむつ１Ａの効果の説明が適宜適用される。
【００４９】
おむつ１Ｃの有する中央エンボス群９０ｃを形成する７本のエンボス列９Ｌは、図６に示すように、その全てが、均等な長さで吸収体４側まで縦方向（Ｙ方向）に延在する、長いエンボス列９Ｌ１となっている。その為、おむつ１Ｃを装着すると、装着者の背中の比較的フラットな部分に対応するように剛性を高めることができ、装着者の臀部の盛り上がりでおむつ１Ｃのズレ落ちを少なくすることができ、フィット性が向上する。そして、中央エンボス群９０ｃに配列された均等な長さの長いエンボス列９Ｌ１が、おむつを装着する際の目安となり装着性が向上する。
【００５０】
おむつ１Ｄの中央エンボス群９０ｃには、吸収体４側まで延在するエンボス列９Ｌ１が複数本配されており、該複数本のエンボス列９Ｌ１は、その長さが、幅方向（Ｘ方向）内方に向かって漸次縦に長くなっている。具体的には、おむつ１Ｄは、おむつ１Ａと同様に、図７に示すように、背側部Ｂのフラップ領域５２ｂに配列された複数本のエンボス列９Ｌが、一対の側部エンボス群９０ｓ，９０ｓと、中央エンボス群９０ｃとに区分できる。中央エンボス群９０ｃを形成する７本のエンボス列９Ｌの内の数本は、第１仮想線ＩＬ１の位置又は第２仮想線ＩＬ２の位置を越えて吸収体４側に延在している。おむつ１Ｄにおいては、縦方向（Ｙ方向）の長さが全て異なっており、７本のエンボス列９Ｌの内の、中心線ＣＬ寄りの５本が、吸収体４側に縦方向（Ｙ方向）に延在する、長いエンボス列９Ｌ１となっている。長い５本のエンボス列９Ｌ１は、縦方向（Ｙ方向）の長さが、幅方向（Ｘ方向）内方（中心線ＣＬ）に向かって漸次縦に長くなっており、最も中心線ＣＬの近くに位置する長いエンボス列９Ｌ１のみが、パネル材６ｂの縦方向（Ｙ方向）外方先端６ｂｓ１の位置（第１仮想線ＩＬ１の位置）を越えるのみならず、ファスニングテープ６１における縦方向（Ｙ方向）外方端縁６１ｅの位置（第２仮想線ＩＬ２の位置）を越えて、吸収体４側まで縦方向（Ｙ方向）に延在している。
【００５１】
上述したおむつ１Ｄを使用した際の作用効果について説明する。
おむつ１Ｄの効果については、おむつ１Ａの効果と異なる点について説明する。特に説明しない点は、おむつ１Ａの効果と同様であり、おむつ１Ａの効果の説明が適宜適用される。
【００５２】
おむつ１Ｄの有する中央エンボス群９０ｃを形成する複数のエンボス列９Ｌは、図７に示すように、その長さが、幅方向（Ｘ方向）内方に向かって漸次縦に長くなっており、平面視して、縦方向（Ｙ方向）にＶ字形状を有するようになっている。その為、おむつ１Ｄを装着すると、装着者の背中の比較的フラットな部分に対応するように剛性を高めることができると共に、お尻の形状にもフィットし易く、おむつ１Ｄのズレ落ちを少なくすることができる。そして、中央エンボス群９０ｃに配列された複数のエンボス列９ＬによってＶ字形状とすることによって、おむつを装着する際にお尻を置く目安となり装着性が向上する。
【００５３】
おむつ１Ｅは、吸収体４側まで延在するエンボス列９Ｌ１が、図８に示すように、一対の側部エンボス群９０ｓ，９０ｓそれぞれと中央エンボス群９０ｃとに配されている。そして、おむつ１Ｅの一対の側部エンボス群９０ｓ，９０ｓそれぞれには、図８に示すように、吸収体４側まで延在するエンボス列９Ｌ１が複数本配されており、該複数本のエンボス列９Ｌ１は、その長さが、幅方向（Ｘ方向）外方に向かって漸次縦に長くなっている。具体的には、おむつ１Ｅは、おむつ１Ａと同様に、図８に示すように、背側部Ｂのフラップ領域５２ｂに配列された複数本のエンボス列９Ｌが、一対の側部エンボス群９０ｓ，９０ｓと、中央エンボス群９０ｃとに区分できる。各側部エンボス群９０ｓを形成する３本のエンボス列９Ｌは、第１仮想線ＩＬ１の位置又は第２仮想線ＩＬ２の位置を越えて吸収体４側に延在しており、おむつ１Ｅにおいては、縦方向（Ｙ方向）の長さが全て異なって、長いエンボス列９Ｌ１となっている。長い３本のエンボス列９Ｌ１は、縦方向（Ｙ方向）の長さが、幅方向（Ｘ方向）外方に向かって漸次縦に長くなっており、最も幅方向（Ｘ方向）外方側に位置する長いエンボス列９Ｌ１のみが、パネル材６ｂの縦方向（Ｙ方向）外方先端６ｂｓ１の位置（第１仮想線ＩＬ１の位置）を越えるのみならず、ファスニングテープ６１における縦方向（Ｙ方向）外方端縁６１ｅの位置（第２仮想線ＩＬ２の位置）を越えて、吸収体４側まで縦方向（Ｙ方向）に延在している。
【００５４】
更に、おむつ１Ｅの中央エンボス群９０ｃには、吸収体４側まで延在するエンボス列９Ｌ１が複数本配されており、該複数本のエンボス列９Ｌ１は、その長さが、幅方向（Ｘ方向）内方に向かって漸次縦に長くなっている。具体的には、おむつ１Ｅの中央エンボス群９０ｃを形成する７本のエンボス列９Ｌの内の数本は、第１仮想線ＩＬ１の位置又は第２仮想線ＩＬ２の位置を越えて吸収体４側に延在している。おむつ１Ｅにおいては、縦方向（Ｙ方向）の長さが全て異なっており、７本のエンボス列９Ｌの内の、中心線ＣＬ寄りの５本が、吸収体４側に縦方向（Ｙ方向）に延在する、長いエンボス列９Ｌ１となっている。長い５本のエンボス列９Ｌ１は、縦方向（Ｙ方向）の長さが、幅方向（Ｘ方向）内方（中心線ＣＬ）に向かって漸次縦に長くなっており、最も中心線ＣＬの近くに位置する長いエンボス列９Ｌ１のみが、パネル材６ｂの縦方向（Ｙ方向）外方先端６ｂｓ１の位置（第１仮想線ＩＬ１の位置）を越えるのみならず、ファスニングテープ６１における縦方向（Ｙ方向）外方端縁６１ｅの位置（第２仮想線ＩＬ２の位置）を越えて、吸収体４側まで縦方向（Ｙ方向）に延在している。
【００５５】
上述したおむつ１Ｅを使用した際の作用効果について説明する。
おむつ１Ｅの効果については、おむつ１Ａの効果と異なる点について説明する。特に説明しない点は、おむつ１Ａの効果と同様であり、おむつ１Ａの効果の説明が適宜適用される。
【００５６】
おむつ１Ｅの一対の側部エンボス群９０ｓ，９０ｓそれぞれには、図８に示すように、長いエンボス列９Ｌ１が３本配されており、３本のエンボス列９Ｌ１は、その長さが、幅方向（Ｘ方向）外方に向かって漸次縦に長くなっている。その為、装着者の腰部の回り込みに対応する部位において剛性を高めることができ、腰回りを締める力を骨盤に伝え易く、おむつ１Ｅのズレ落ちを防止することができる。そして、側部エンボス群９０ｓに配列された長さの異なる長いエンボス列９Ｌ１が、おむつを装着する際の目安となり装着性が向上する。
【００５７】
また、おむつ１Ｅの有する中央エンボス群９０ｃを形成する複数のエンボス列９Ｌは、図８に示すように、その長さが、幅方向（Ｘ方向）内方に向かって漸次縦に長くなっており、平面視して、縦方向（Ｙ方向）にＶ字形状を有するようになっている。その為、おむつ１Ｅを装着すると、装着者の背中の比較的フラットな部分に対応するように剛性を高めることができると共に、お尻の形状にもフィットし易く、おむつ１Ｅのズレ落ちを少なくすることができる。そして、中央エンボス群９０ｃに配列された複数のエンボス列９ＬによってＶ字形状とすることによって、おむつを装着する際にお尻を置く目安となり装着性が向上する。
【００５８】
本発明の吸収性物品は、上述の第１〜第５実施形態のおむつ１Ａ〜１Ｅに何ら制限されるものではなく、適宜変更可能である。また、上述の第１〜第５実施形態のおむつ１Ａ〜１Ｅにおける各構成要件は、本発明の趣旨を損なわない範囲で、適宜組み合わせて実施できる。
【００５９】
例えば、上述の第１〜第５実施形態のおむつ１Ａ〜１Ｅにおいては、図１に示すように、背側部Ｂのフラップ領域５２ｂにのみ、複数本のエンボス列９Ｌが配されているが、腹側部Ａのフラップ領域５２ａにも、複数本のエンボス列９Ｌが配されていてもよい。
【００６０】
また、上述の第１〜第５実施形態のおむつ１Ａ〜１Ｅにおいては、図４〜図８に示すように、背側部Ｂのフラップ領域５２ｂに配列された複数本のエンボス列９Ｌが、一対の側部エンボス群９０ｓ，９０ｓと、中央エンボス群９０ｃとに区分されているが、区分されていなくてもよい。このように区分されていない場合、例えば、背側部Ｂのフラップ領域５２ｂに配列された複数本のエンボス列９Ｌは、一対のパネル材６ｂ，６ｂの間において、幅方向（Ｘ方向）に隣り合うエンボス列９Ｌどうしの間の間隔を均等にして配されていることが好ましい。
【００６１】
また、上述の第１〜第５実施形態のおむつ１Ａ〜１Ｅにおいては、図４〜図８に示すように、各側部エンボス群９０ｓを構成するエンボス列９Ｌも、中央エンボス群９０ｃを構成するエンボス列９Ｌも、エンボス９を縦方向（Ｙ方向）に均等な間隔を空けて同じ平面形状の面積のものを配して形成されているが、均等な間隔で無くてもよく、異なる平面形状の面積のものを配して形成されていてもよい。例えば、腰骨に沿って剛性を高め、おむつを装着者の体にフィットさせ易くする観点からは、各側部エンボス群９０ｓを構成するエンボス列９Ｌを形成する各エンボス９の平面形状の面積が、中央エンボス群９０ｃを構成するエンボス列９Ｌを形成する各エンボス９の平面形状の面積より大きいことが好ましい。また、例えば、装着者の背中の比較的フラットな部分に対応するように剛性を高め、フラップ領域５２ｂを立たせ、おむつを装着者の体にフィットさせ易くする観点からは、中央エンボス群９０ｃを構成するエンボス列９Ｌを形成する各エンボス９の平面形状の面積が、各側部エンボス群９０ｓを構成するエンボス列９Ｌを形成する各エンボス９の平面形状の面積より大きいことが好ましい。
【００６２】
また、上述の第１〜第５実施形態のおむつ１Ａ〜１Ｅにおいては、エンボス列９Ｌを形成するエンボス９が、おむつ１Ａの厚み方向において、図３に示すように、肌対向シート２側から裏面シート３側に向かって凹状になっているが、逆に、裏面シート３側から肌対向シート２側に向かって凹状になっていてもよい。
また、上述の第１〜第５実施形態のおむつ１Ａ〜１Ｅにおいては、裏面シート３が、図２，図３に示すように、樹脂フィルム３１と不織布３２との積層体から形成されているが、１枚のシートから形成されていてもよい。
【００６３】
上述した実施形態に関し、さらに以下の展開型の使い捨ておむつを開示する。
＜１＞
装着時に装着者の肌側に配される肌対向シート、装着者の肌側とは反対側に配される液難透過性の裏面シート、及びこれらシート間に配された吸収体を具備する縦長の吸収性本体と、ファスニングテープを具備し前記吸収性本体における装着者の背側に位置する背側部の両側部から外方に延出するパネル材とを有する展開型の使い捨ておむつであって、
前記吸収性本体は、それぞれの前記パネル材の間に、前記吸収体の縦方向の端部から縦方向外方に延出するフラップ領域を有しており、
前記フラップ領域には、前記肌対向シート及び前記裏面シートを融着して形成されるエンボスを縦方向に間隔を空けて複数配してなるエンボス列が配列され、該エンボス列は幅方向に間隔を空けて複数本配列されており、
複数本配列された前記エンボス列の内の少なくとも１本の前記エンボス列は、前記パネル材における前記ファスニングテープが取り付けられた側の側縁の縦方向外方先端から幅方向に引いた第１仮想線の位置を越えて前記吸収体側に延在している展開型の使い捨ておむつ。
【００６４】
＜２＞
複数本配列された前記エンボス列の内の少なくとも１本の前記エンボス列は、前記ファスニングテープにおける縦方向外方端縁から幅方向に引いた第２仮想線の位置を越えて前記吸収体側に延在している前記＜１＞に記載の展開型の使い捨ておむつ。
＜３＞
複数本配列された前記エンボス列は、前記吸収体の縦方向に沿う両側部近傍から縦方向に前記フラップ領域に引いた第３仮想線の位置から幅方向外方の領域にそれぞれ配列された側部エンボス群と、前記第３仮想線の間の領域にある中央エンボス群とに区分され、
ファスニングテープにおける縦方向外方端縁から幅方向に引いた第２仮想線の位置を越えて前記吸収体側に延在している前記エンボス列は、少なくとも前記側部エンボス群それぞれに配されている前記＜１＞又は＜２＞に記載の展開型の使い捨ておむつ。
＜４＞
前記側部エンボス群それぞれには、前記第１又は第２仮想線の位置を超えて前記吸収体側に延在する前記エンボス列が複数本配されており、該複数本のエンボス列は、その長さが、幅方向外方に向かって漸次縦に長くなっている前記＜３＞に記載の展開型の使い捨ておむつ。
＜５＞
複数本配列された前記エンボス列は、前記吸収体の縦方向に沿う両側部近傍から縦方向に向けて前記フラップ領域に引いた第３仮想線の位置から幅方向外方の領域にそれぞれ配列された側部エンボス群と、前記第３仮想線の間の領域にある中央エンボス群とに区分され、
前記第１仮想線又はファスニングテープにおける縦方向外方端縁から幅方向に引いた第２仮想線の位置を越えて前記吸収体側に延在している前記エンボス列は、前記中央エンボス群に配されている前記＜１＞〜＜４＞の何れか１項に記載の展開型の使い捨ておむつ。
＜６＞
前記中央エンボス群には、前記第１仮想線の位置を越えて前記吸収体側に延在している前記エンボス列が複数本配されており、該複数本のエンボス列は、その長さが、幅方向内方に向かって漸次縦に長くなっている前記＜５＞に記載の展開型の使い捨ておむつ。
＜７＞
複数本配列された前記エンボス列は、前記吸収体の縦方向に沿う両側部近傍から縦方向に向けて前記フラップ領域に引いた第３仮想線の位置から幅方向外方の領域にそれぞれ配列された側部エンボス群と、前記第３仮想線の間の領域にある中央エンボス群とに区分され、
ファスニングテープにおける縦方向外方端縁から幅方向に引いた前記第２仮想線の位置を越えて前記吸収体側に延在している前記エンボス列は、前記一対の側部エンボス群それぞれと前記中央エンボス群とに配されている前記＜１＞又は＜２＞に記載の展開型の使い捨ておむつ。
＜８＞
前記側部エンボス群それぞれには、前記第１仮想線の位置を越えて前記吸収体側に延在する前記エンボス列が複数本配されており、該複数本のエンボス列は、その長さが、幅方向外方に向かって漸次縦に長くなっており、
前記中央エンボス群には、前記第１仮想線の位置を越えて前記吸収体側に延在する前記エンボス列が複数本配されており、該複数本のエンボス列は、その長さが、幅方向内方に向かって漸次縦に長くなっている前記＜７＞に記載の展開型の使い捨ておむつ。
＜９＞
複数本配列された前記エンボス列は、前記吸収体の縦方向に沿う両側部近傍から縦方向に向けて前記フラップ領域に引いた第３仮想線の位置から幅方向外方の領域にそれぞれ配列された側部エンボス群と、前記第３仮想線の間の領域にある中央エンボス群とに区分され、
前記側部エンボス群それぞれと前記中央エンボス群との間の間隔は、該側部エンボス群を構成する前記エンボス列どうしの間の間隔よりも広く、該中央エンボス群を構成する前記エンボス列どうしの間の間隔よりも広い前記＜１＞〜＜８＞の何れか１に記載の展開型の使い捨ておむつ。
＜１０＞
前記エンボスは、前記肌対向シート側から前記裏面シート側に向かって凹状になっている前記＜１＞〜＜９＞の何れか１に記載の展開型の使い捨ておむつ。
【００６５】
＜１１＞
前記吸収性本体は、装着者の腹側に位置する腹側部、背側に位置する背側部及び腹側部と背側部との間に配される股下部に区分され、
前記吸収性本体における背側部の両側部から外方に延出する一対のパネル材を有する、前記＜１＞〜＜１０＞の何れか１記載の展開型の使い捨ておむつ。
＜１２＞
前記肌対向シートは、液透過性の表面シートと、該表面シートの縦方向（Ｙ方向）に沿う両側部それぞれの肌対向面側に配される一対のサイドシートとを有している前記＜１＞〜＜１１＞の何れか１記載の展開型の使い捨ておむつ。
＜１３＞
前記吸収性本体は、展開して伸長した状態において縦方向（Ｙ方向）に長い矩形状であり、
前記腹側部、前記背側部及び前記股下部は、展開して伸長した状態において、前記吸収性本体の縦方向（Ｙ方向）の全長を略３等分するように区分したときの各領域であり、
前記吸収性本体は、前記展開型の使い捨ておむつの内面をなす前記表面シートと、おむつの外面をなす前記裏面シートと、これらのシート間に介在された縦方向（Ｙ方向）に長い液保持性の前記吸収体とを有しており、
前記裏面シートは、前記展開型の使い捨ておむつにおいては、樹脂フィルムと不織布との積層体からなり、該樹脂フィルムの非肌対向面に該不織布を配して形成されており、
前記吸収体は、前記展開型の使い捨ておむつにおいては、パルプ繊維等の繊維の集合体、不織布又は該集合体若しくは該不織布に吸水性ポリマーの粒子を保持させてなる吸収性コアを、透水性の薄紙や不織布からなるコアラップシートで被覆して形成されており、
前記吸収性コアは、前記展開型の使い捨ておむつにおいては、縦方向（Ｙ方向）に長く形成されており、股下部において、両側部が内側に括れた形状となっている前記＜１１＞に記載の展開型の使い捨ておむつ。
＜１４＞
前記吸収性本体は、前記腹側部から前記背側部に亘って、前記吸収体の縦方向（Ｙ方向）に沿う両側部それぞれから幅方向（Ｘ方向）外方側に延出する一対のサイドフラップ領域を有しており、
前記表面シート及び前記裏面シートは、それぞれ、前記吸収体の肌対向面側の全面及び非肌対向面側の全面を覆っており、該吸収体の周縁から延出しており、
前記吸収体の周縁から延出している前記表面シートの部分と前記裏面シートの部分とは、固定されており、
前記表面シートは、幅方向（Ｘ方向）の長さが前記裏面シートの幅方向（Ｘ方向）の長さよりも短くなっており、表面シートの縦方向（Ｙ方向）の長さと、裏面シートの縦方向（Ｙ方向）の長さとは一致している前記＜１３＞に記載の展開型の使い捨ておむつ。
＜１５＞
前記吸収性本体には、縦方向（Ｙ方向）に沿う両側部それぞれに、前記表面シートを介してサイドシートが配されており、
前記サイドシートの縦方向（Ｙ方向）の長さは、前記表面シート及び前記裏面シートの縦方向（Ｙ方向）の長さと一致しており、
一対の前記サイドシートは、それぞれ、前記表面シートの肌対向面側に配されて、該表面シートの縦方向（Ｙ方向）に沿う側部全域を覆っており、縦方向（Ｙ方向）に直線状に延びる固定部を介して該表面シートの側縁部に固定されており、
前記腹側部、前記背側部及び前記股下部においては、幅方向（Ｘ方向）の外方に延出した前記サイドシートと前記裏面シートとが接合されており、
前記腹側部、前記背側部及び前記股下部には、前記吸収体の縦方向（Ｙ方向）に沿う側部から幅方向（Ｘ方向）外方側に延出する部分において、前記表面シートの該吸収体の側部から延出している部分と前記裏面シートの該吸収体の側部から延出している部分とが固定され、固定部よりも幅方向（Ｘ方向）外方側に延出する前記サイドシートの延出している部分と該裏面シートの固定部よりも幅方向（Ｘ方向）外方側に延出する部分とが固定されて、サイドフラップ領域が形成されている前記＜１３＞又は＜１４＞に記載の展開型の使い捨ておむつ。
＜１６＞
前記サイドフラップ領域を形成する前記サイドシートは、幅方向（Ｘ方向）の内方側の端部が非肌対向面側に折り返されて二重部分を形成しており、
前記股下部における前記二重部分内に立体ギャザー形成用の弾性部材が縦方向（Ｙ方向）に伸長状態で配設固定されており、装着時には、該弾性部材の収縮力により、前記固定部を起点に前記サイドシートの内方側の端部が立ち上がるようになっている前記＜１５＞に記載の展開型の使い捨ておむつ。
＜１７＞
前記サイドフラップ領域を形成する前記サイドシートの幅方向（Ｘ方向）の外方側の端部から固定部までの間の部分は、前記裏面シートと固定されており、
前記サイドシートの外方側の端部から固定部までの間の部分と裏面シートとの間には、股下部において、レッグギャザー形成用の弾性部材が縦方向（Ｙ方向）に伸長状態で配設固定されており、装着時には、該弾性部材の収縮力により、レッグギャザーを形成するようになっている前記＜１５＞又は＜１６＞に記載の展開型の使い捨ておむつ。
＜１８＞
前記展開型の使い捨ておむつは、前記吸収性本体の背側部の左右両外方に連設された左右一対の前記パネル材を有し、
前記パネル材は、伸縮パネルであり、
前記パネル材は、幅方向（Ｘ方向）外方側に向かって台形形状に延出するように形成されており、中心線ＣＬ寄りの側縁部の縦方向（Ｙ方向）の長さが、幅方向（Ｘ方向）外方側の側縁部の縦方向（Ｙ方向）の長さよりも長くなっており、該パネル材は、背側部において、その中心線寄りの側縁部が、前記裏面シートの非肌対向面に固定されており、前記吸収性本体の背側部の左右両外方に連設されている前記＜１＞〜＜１７＞の何れか１記載の展開型の使い捨ておむつ。
＜１９＞
一対の前記パネル材は、前記表面シートを介して配された前記サイドシートと前記裏面シートの樹脂フィルムとの間で固定されている前記＜１５＞〜＜１８＞の何れか１記載の展開型の使い捨ておむつ。
＜２０＞
前記パネル材には、機械的面ファスナーのオス部材からなる止着部が取り付けられた前記ファスニングテープが幅方向（Ｘ方向）外方に延出して取り付けられており、
前記ファスニングテープは、幅方向（Ｘ方向）に長い矩形状となっており、
前記ファスニングテープは、前記パネル材の幅方向（Ｘ方向）外方の側縁と９０°で交差するように、該パネル材に、接着剤や融着の手段を用いて固定されている前記＜１＞〜＜１９＞の何れか１記載の展開型の使い捨ておむつ。
＜２１＞
一対の前記パネル材は、前記裏面シートの不織布の非肌対向面に固定されていて、該裏面シートの不織布の非肌対向面においては、左右一対の該パネル材の間に、前記腹側部の外面に幅方向（Ｘ方向）に長い矩形状のターゲットテープが設けられており、
展開型の使い捨ておむつの装着時には、前記パネル材に取り付けられた前記ファスニングテープと前記ターゲットテープとが止着可能となっている前記＜１＞〜＜２０＞の何れか１記載の展開型の使い捨ておむつ。
【００６６】
＜２２＞
前記サイドフラップ領域は、前記肌対向シートである表面シートの前記吸収体の縦方向（Ｙ方向）に沿う側部から延出している部分と前記裏面シートの該吸収体の側部から延出している部分とが接着剤により接合固定されて、該肌対向シートである該サイドシートの固定部よりも幅方向（Ｘ方向）外方側に延出している部分と該裏面シートの固定部よりも幅方向（Ｘ方向）外方側に延出している部分とが接着剤により接合固定されて形成されており、
前記フラップ領域は、前記肌対向シートである表面シートの前記吸収体の縦方向（Ｙ方向）の端部から延出している部分と前記裏面シートの前記吸収体の端部から延出している部分とが接着剤により接合固定されており、該肌対向シートである前記サイドシートの縦方向（Ｙ方向）の端部から延出している部分と、前記表面シート及び該裏面シートそれぞれの該吸収体の端部から延出している部分とが接着剤により接合固定されて形成されており、
前記吸収性本体においては、前記吸収体と前記裏面シートとも、接着剤により接合固定されており、
前記フラップ領域においては、前記サイドシートの二重部分は、折り重なった状態で固定されている前記＜１５＞〜＜１９＞の何れか１記載の展開型の使い捨ておむつ。
＜２３＞
前記吸収体側まで縦方向（Ｙ方向）に延在する前記エンボス列は、一対の前記側部エンボス群それぞれに配されており、
前記側部エンボス群を形成するエンボス列は、均等な長さで吸収体側まで縦方向（Ｙ方向）に延在する、長いエンボス列となっている前記＜３＞に記載の展開型の使い捨ておむつ。
＜２４＞
前記側部エンボス群それぞれと前記中央エンボス群との間の間隔は、該側部エンボス群を構成するエンボス列どうしの間の間隔よりも広く、該中央エンボス群を構成するエンボス列どうしの間の間隔よりも広くなっている前記＜２３＞に記載の展開型の使い捨ておむつ。
＜２５＞
前記側部エンボス群と前記中央エンボス群との間の間隔は、１０ｍｍ以上３０ｍｍ以下であることが好ましく、１５ｍｍ以上２５ｍｍ以下であることが更に好ましい前記＜２４＞に記載の展開型の使い捨ておむつ。
＜２６＞
前記側部エンボス群を構成するエンボス列どうしの間の間隔は、５ｍｍ以上２０ｍｍ以下であることが好ましく、７ｍｍ以上１５ｍｍ以下であることが更に好ましく、
前記中央エンボス群を構成するエンボス列どうしの間の間隔は、２ｍｍ以上１５ｍｍ以下であることが好ましく、５ｍｍ以上１０ｍｍ以下であることが更に好ましい前記＜２４＞又は＜２５＞に記載の展開型の使い捨ておむつ。
＜２７＞
前記エンボス列を形成する前記エンボスは、前記展開型の使い捨ておむつの厚み方向においては、前記肌対向シート側から前記裏面シート側に向かって凹状になっており、
前記側部エンボス群を構成する複数の前記エンボス列それぞれを形成する複数の前記エンボスは、それぞれ、前記肌対向シートのサイドシート側から、該サイドシート及び該肌対向シートの表面シートを貫通し、前記裏面シートの非肌対向面側の不織布にいたる凹状の形状となっており、
前記中央エンボス群を構成する複数の前記エンボス列それぞれを形成する複数の前記エンボスは、それぞれ、前記肌対向シートの表面シート側から、該表面シートを貫通し、前記裏面シートの非肌対向面側の不織布にいたる凹状の形状となっている前記＜２３＞〜＜２６＞の何れか１に記載の展開型の使い捨ておむつ。
＜２８＞
前記フラップ領域に設けられる、前記長いエンボス列を除くエンボス列は、前記エンボスを縦方向（Ｙ方向）に間隔を空けて、４個以上２０個以下配して形成されていることが好ましく、６個以上１６個以下配して形成されていることが更に好ましい前記＜２３＞〜＜２７＞の何れか１に記載の展開型の使い捨ておむつ。
＜２９＞
前記長いエンボス列における、縦方向（Ｙ方向）に隣り合う前記エンボスどうしの間隔は、０．２ｍｍ以上２．０ｍｍ以下であることが好ましく、０．５ｍｍ以上１．５ｍｍ以下であることが更に好ましく、
前記長いエンボス列を除くエンボス列は、その全長が、１０ｍｍ以上３０ｍｍ以下であることが好ましく、１２ｍｍ以上２５ｍｍ以下であることが更に好ましい前記＜２３＞〜＜２８＞の何れか１に記載の展開型の使い捨ておむつ。
＜３０＞
前記吸収体の端部から縦方向（Ｙ方向）外方の領域の長さＴ２に対する、前記長いエンボス列を除くエンボス列の全長Ｔ３の比率（Ｔ３／Ｔ２）は、０．０５以上１以下であることが好ましく、０．１以上０．６以下であることが更に好ましい前記＜２３＞〜＜２９＞の何れか１に記載の展開型の使い捨ておむつ。
＜３１＞
前記フラップ領域に設けられる、前記エンボス列の中の長いエンボス列は、前記エンボスを縦方向（Ｙ方向）に間隔を空けて、１０個以上３０個以下配して形成されていることが好ましく、７個以上２５個以下配して形成されていることが更に好ましい前記＜２３＞〜＜３０＞の何れか１に記載の展開型の使い捨ておむつ。
【００６７】
＜３２＞
前記中央エンボス群を形成する前記エンボス列は、その全てが、均等な長さで吸収体側まで縦方向（Ｙ方向）に延在する、長いエンボス列となっている前記＜３＞に記載の展開型の使い捨ておむつ。
＜３３＞
前記中央エンボス群には、前記吸収体側まで延在するエンボス列が複数本配されており、該複数本のエンボス列は、その長さが、幅方向（Ｘ方向）内方に向かって漸次長くなっており、
前記フラップ領域に配された複数本の前記エンボス列が、一対の前記側部エンボス群と、前記中央エンボス群とに区分でき、
前記中央エンボス群を形成する前記エンボス列は、縦方向（Ｙ方向）の長さが全て異なっており、該エンボス列の内の、中心線寄りが、前記吸収体側まで縦方向（Ｙ方向）に延在する、長いエンボス列となっており、
前記長いエンボス列は、縦方向（Ｙ方向）の長さが、幅方向（Ｘ方向）内方に向かって漸次長くなっており、最も中心線の近くに位置する長いエンボス列のみが、前記パネル材の縦方向（Ｙ方向）外方先端の位置を越えるのみならず、前記ファスニングテープにおける縦方向（Ｙ方向）外方端縁の位置を越えて、前記吸収体側まで縦方向（Ｙ方向）に延在している前記＜３＞に記載の展開型の使い捨ておむつ。
＜３４＞
前記中央エンボス群を形成する複数の前記エンボス列は、その長さが、幅方向（Ｘ方向）内方に向かって漸次長くなっており、平面視して、縦方向（Ｙ方向）にＶ字形状を有するようになっている前記＜３３＞に記載の展開型の使い捨ておむつ。
＜３５＞
前記側部エンボス群それぞれには、前記吸収体側まで延在するエンボス列が複数本配されており、該複数本のエンボス列は、その長さが、幅方向（Ｘ方向）外方に向かって漸次長くなっている前記＜３＞に記載の展開型の使い捨ておむつ。
＜３６＞
前記フラップ領域に配された複数本のエンボス列が、一対の側部エンボス群と、中央エンボス群とに区分でき、
前記側部エンボス群を形成する３本のエンボス列は、縦方向（Ｙ方向）の長さが全て異なって、前記吸収体側まで縦方向（Ｙ方向）に延在する、長いエンボス列となっており、
３本の長いエンボス列は、縦方向（Ｙ方向）の長さが、幅方向（Ｘ方向）外方に向かって漸次長くなっており、最も幅方向（Ｘ方向）外方側に位置する長いエンボス列のみが、前記パネル材の縦方向（Ｙ方向）外方先端の位置を越えるのみならず、前記ファスニングテープにおける縦方向（Ｙ方向）外方端縁の位置を越えて、該吸収体側まで縦方向（Ｙ方向）に延在している前記＜３５＞に記載の展開型の使い捨ておむつ。
＜３７＞
前記中央エンボス群には、前記吸収体側まで延在する前記エンボス列が複数本配されており、該複数本の該エンボス列は、その長さが、幅方向（Ｘ方向）内方に向かって漸次長くなっている前記＜３５＞又は＜３６＞に記載の展開型の使い捨ておむつ。
＜３８＞
前記中央エンボス群を形成するエンボス列は、縦方向（Ｙ方向）の長さが全て異なっており、該エンボス列の内の、中心線寄りが、前記吸収体側まで縦方向（Ｙ方向）に延在する、長いエンボス列となっており、
前記長いエンボス列は、縦方向（Ｙ方向）の長さが、幅方向（Ｘ方向）内方に向かって漸次長くなっており、最も中心線の近くに位置する該長いエンボス列のみが、前記パネル材の縦方向（Ｙ方向）外方先端の位置を越えるのみならず、ファスニングテープにおける縦方向（Ｙ方向）外方端縁の位置を越えて、前記吸収体側まで縦方向（Ｙ方向）に延在している前記＜３５＞〜＜３７＞の何れか１に記載の展開型の使い捨ておむつ。
＜３９＞
前記側部エンボス群それぞれには、長いエンボス列が配されており、該長いエンボス列は、その長さが、幅方向（Ｘ方向）外方に向かって漸次長くなっている前記＜３５＞〜＜３８＞の何れか１に記載の展開型の使い捨ておむつ。
＜４０＞
前記中央エンボス群を形成する複数のエンボス列は、その長さが、幅方向（Ｘ方向）内方に向かって漸次長くなっており、平面視して、縦方向（Ｙ方向）にＶ字形状を有するようになっている前記＜３５＞〜＜３９＞の何れか１に記載の展開型の使い捨ておむつ。
＜４１＞
前記腹側部のフラップ領域に、複数本のエンボス列が配されている前記＜１＞〜＜４０＞の何れか１に記載の展開型の使い捨ておむつ。
＜４２＞
前記背側部のフラップ領域に配された複数本の前記エンボス列は、側部エンボス群と、中央エンボス群とに区分されておらず、
前記背側部のフラップ領域に配された複数本のエンボス列は、一対の前記パネル材間において、幅方向（Ｘ方向）に隣り合うエンボス列どうしの間の間隔を均等にして配されている前記＜１＞又は＜２＞に記載の展開型の使い捨ておむつ。
【００６８】
＜４３＞
前記側部エンボス群を構成するエンボス列も、前記中央エンボス群を構成するエンボス列も、エンボスを縦方向（Ｙ方向）に均等な間隔で無く、異なる平面形状の面積のものを配されて形成されている前記＜３＞に記載の展開型の使い捨ておむつ。
＜４４＞
前記側部エンボス群を構成するエンボス列を形成する前記エンボスの平面形状の面積が、前記中央エンボス群を構成するエンボス列を形成する前記エンボスの平面形状の面積より大きい前記＜３＞に記載の展開型の使い捨ておむつ。
＜４５＞
前記フラップ領域には、前記エンボス列が、幅方向（Ｘ方向）に間隔を空けて、１２本以上２０本以下配されていることが好ましく、１４本以上１６本以下配されていることが更に好ましい前記＜１＞〜＜４４＞の何れか１に記載の展開型の使い捨ておむつ。
＜４６＞
前記側部エンボス群を形成するエンボス列における、縦方向（Ｙ方向）に隣り合う前記エンボスどうしの間隔は、０．２ｍｍ以上２．５ｍｍ以下であることが好ましく、０．５ｍｍ以上１．５ｍｍ以下であることが更に好ましい前記＜３＞又は＜４＞に記載の展開型の使い捨ておむつ。
＜４７＞
前記側部エンボス群を形成するエンボス列は、その全長が、１０ｍｍ以上７０ｍｍ以下であることが好ましく、１５ｍｍ以上６０ｍｍ以下であることが更に好まく、
前記吸収体の端部から縦方向（Ｙ方向）外方の領域の長さＴ２に対する前記側部エンボス群を形成するエンボス列の全長Ｔ１の比率（Ｔ１／Ｔ２）は、０．１以上１以下であることが好ましく、０．２以上０．９以下であることが更に好ましい前記＜３＞又は＜４＞に記載の展開型の使い捨ておむつ。
＜４８＞
前記側部エンボス群には、前記エンボス列が、幅方向（Ｘ方向）に間隔を空けて、２本以上１５本以下配されていることが好ましく、４本以上１０本以下配されていることが更に好ましく、
前記中央エンボス群には、エンボス列が、幅方向（Ｘ方向）に間隔を空けて、７本以上１８本以下配されていることが好ましく、１０本以上１５本以下配されていることが更に好ましい前記＜３＞又は＜４＞に記載の展開型の使い捨ておむつ。
＜４９＞
前記側部エンボス群を構成するエンボス列は、前記エンボスを縦方向（Ｙ方向）に間隔を空けて、４個以上２０個以下配して形成されていることが好ましく、６個以上１６個以下配して形成されていることが更に好ましく、縦方向（Ｙ方向）に隣り合う該エンボスどうしの間隔は、０．２ｍｍ以上２．０ｍｍ以下であることが好ましく、０．５ｍｍ以上１．５ｍｍ以下であることが更に好ましい前記＜３＞又は＜４＞に記載の展開型の使い捨ておむつ。
＜５０＞
前記中央エンボス群を構成する前記エンボス列は、前記エンボスを縦方向（Ｙ方向）に間隔を空けて、４個本以上２０個以下配して形成されていることが好ましく、６個以上１６個以下配して形成されていることが更に好ましく、縦方向（Ｙ方向）に隣り合う該エンボスどうしの間隔は、０．２ｍｍ以上２．０ｍｍ以下であることが好ましく、０．５ｍｍ以上１．５ｍｍ以下であることが更に好ましい前記＜３＞又は＜４＞に記載の展開型の使い捨ておむつ。
＜５１＞
前記エンボスは、前記裏面シート側から平面視して、その平面形状として、楕円形、真円形状、多角形状、Ｓ，Ｍのような英数字、又はハート型、三日月型若しくは星型の図形である前記＜１＞〜＜５０＞の何れか１に記載の展開型の使い捨ておむつ。
＜５２＞
前記エンボスの平面形状の面積は、０．２ｍｍ2以上３．５ｍｍ2以下であることが好ましく、０．５ｍｍ2以上２．０ｍｍ2以下であることが更に好ましい前記＜５１＞に記載の展開型の使い捨ておむつ。
【符号の説明】
【００６９】
１Ａ，１Ｂ，１Ｃ，１Ｄ，１Ｅ  展開型の使い捨ておむつ
２  肌対向シート
２１  表面シート
２１ｓ  表面シートの側部
２１ｓ１  表面シートの側縁部
２２  サイドシート、２２０（第３仮想線）
３  裏面シート
３１  樹脂フィルム
３２  不織布
４  吸収体
４ｅ  縦方向（Ｙ方向）の端部
４ｓ  縦方向（Ｙ方向）に沿う側部
４１  コアラップシート
４２  吸収性コア
５  吸収性本体
５ｓ  吸収性本体の側部
５１  サイドフラップ領域
５２ａ，５２ｂ  フラップ領域
５３  立体ギャザー形成用の弾性部材
５４  レッグギャザー形成用の弾性部材
６ａ，６ｂ  パネル材
６ｂｓ  幅方向（Ｘ方向）外方の側縁
６ｂｓ１  縦方向（Ｙ方向）外方先端
６１  ファスニングテープ
６１ｅ  縦方向（Ｙ方向）外方端縁
７  固定部
８  接着剤
９  エンボス
９Ｌ  エンボス列
９Ｌ１  吸収体４側まで縦方向（Ｙ方向）に延在する長いエンボス列
９０ｓ  側部エンボス群
９０ｃ  中央エンボス群
Ａ  腹側部，Ｂ  背側部，Ｃ  股下部
ＩＬ１  第１仮想線
ＩＬ２  第２仮想線
ＩＬ３  第３仮想線
【図１】
2014090902.tif 000003
【図２】
2014090902.tif 000004
【図３】
2014090902.tif 000005
【図４】
2014090902.tif 000006
【図５】
2014090902.tif 000007
【図６】
2014090902.tif 000008
【図７】
2014090902.tif 000009
【図８】
2014090902.tif 000010